(57)【要約】  【課題】  自然石と金網を用いて河川流速に対して安定した質量を有し、構造物としての大きさ及び構造に適すると共に、魚類の適正な生息空間を確保する。  【解決手段】  この発明は、複数個配置した下部の各自然石２上に、所定面積を有する金網３を介して少なくとも２個以上の自然石２ａが載置されると共に、前記下部の各自然石２と、該下部の各自然石上に載置される上部の２個以上の自然石２ａとが夫々対向する部位に穿孔４，４ａが設けられ、該穿孔４，４ａ内に凝固剤５が充填され、且つ、前記金網３の網目を通して両側部が夫々対向する前記上下の各穿孔４，４ａ内に挿入されて固定するように設けられた連結具６にて前記上下の自然石２，２ａ及び前記金網３とが一体化されて成る自然石ブロックを提供する。【選択図】図２
2005113640.tif 000002
【特許請求の範囲】
【請求項１】
複数個配置した下部の各自然石上に、所定面積を有する金網を介して少なくとも２個以上の自然石が載置されると共に、前記下部の各自然石と、該下部の各自然石上に載置される上部の２個以上の自然石とが夫々対向する部位に穿孔が設けられ、該穿孔内に凝固剤が充填され、且つ、前記金網の網目を通して両側部が夫々対向する前記上下の各穿孔内に挿入されて固定するように設けられた連結具にて前記上下の自然石及び前記金網とが一体化されることを特徴とする自然石ブロック。
【請求項２】
上記金網は施工性に適合する所定面積を有して方形、台形又は梯形に形成されて成る請求項１記載の自然石ブロック。
【請求項３】
上記金網の周辺には枠線が配設されて成る請求項１又は２記載の自然石ブロック。
【請求項４】
上記金網の周辺に配設された枠線は対面する２辺間に略直角状の補強線が複数本配設されて成る請求項１、２又は３記載の自然石ブロック。
【請求項５】
上記上下の自然石は前記金網の中央部位を除いて配設されて、該中央部位に凹部が形成して成る請求項１、２、３又は４記載の自然石ブロック。
【請求項６】
上記上下の自然石が前記金網に対して十字状に配置されて成る請求項１、２、３又は４記載の自然石ブロック。
【請求項７】
上記上下の自然石が前記金網に対してランダムに配置されて成る請求項１、２、３又は４記載の自然石ブロック。
【発明の詳細な説明】
【技術分野】
【０００１】
この発明は自然石ブロックに関し、特に、河川における根固工、水制工、護岸工その他、海岸、海洋構造物として適用される自然石ブロックに関するものである。
【背景技術】
【０００２】
従来、河川の利水が進むにつれて、取水のための河川横断構造物等の施設が多くなって河川が遮断され、而も、之等河川の施設の多くはコンクリート製であるため、景観的にも自然環境にマッチせず、地球環境的にも好ましくない二酸化炭素を発生させるセメントが使用されている。そこで、特に、河川環境に最も適応する自然石を用いた自然石結合ブロックも提案されている（特許文献１）。而して、この特許文献１に開示されている自然石結合ブロックは複数個の大塊状の自然石を集合させ、隣接相互の自然石の接合部に穿孔した接合孔に亘って可撓性金属状接合材を挿入して接合剤を充填し、前記複数の自然石を水平状に結合して一体成形して成るものである。
【０００３】
該特許文献１記載の結合ブロックは隣接相互の自然石に穿孔した接合孔に可撓性金属接合材を挿入し、そして、前記接合孔に接合剤を充填して水平状に成形されるのであるから、特に、魚道工として之を採択する場合は、一般に容易に入手できる例えば５０kg〜１００kg相当の通常の自然石を採択する際には、流速に対して充分に安定的質量を維持することが不可能となり、該自然石結合ブロックを河川敷に施行した構造物は破壊脱落すると云う欠陥を有する。そこで、このような欠陥を解消するには前記流速に耐え得る例えば１０００kg以上の大塊状の自然石を用いることになるが、このような大塊状の自然石を入手することは極めて困難であり、且つ、施工性にも難点がある。
【０００４】
そこで、ネットを用い、該ネット上に多数のブロックを載置し、そして、該ブロックに引留具を固設し、該引留具をネットの経糸又は緯糸に通し掛けして固定した施工面積敷設ブロックも知られている（特許文献２）。
【０００５】
更に又、ネット上面に複数のブロックを載置し、該ブロックの下面にはアンカーボルト又はアンカーナットを植設し、そして、該ネットの下面からボルト孔を有する固定プレートを該アンカーボルト又はアンカーナットにナット又はボルトを螺着して固定し、ネットをブロック下面と固定プレート上面にて挟むことにより、該ブロックをネットに固定したものも知られている（特許文献３）。而して、之等ブロックは自然石を用いることもできる。
【特許文献１】第２５１３９７３号実用新案登録公報（実用新案登録請求の範囲、第１図）
【特許文献２】特公平７−１１１２１号公報（特許請求の範囲、第４図）
【特許文献３】第３０５８５２１号実用新案登録公報（実用新案登録請求の範囲、第２図）
【発明の開示】
【発明が解決しようとする課題】
【０００６】
上記従来例の引用文献１〜３記載のブロックは何れも水平状に多数のブロックを結合して構成する関係上、之等ブロックを河川構造物として設置した場合に於いて、水平状に多くの自然石を連繋して敷設しても河川流速に対して単位面積あたりの重量が不足し、又、河床に対しての噛み合わせ、及び摩擦力が劣勢であるため、やがては該流速等により該ブロックによって構築された構造物は破壊されて脱落すると云う欠陥があり、更に、河川の根固工においては魚類の適正な生息空間を確保することが困難となる。
【０００７】
そこで、自然石と金網を用い、且つ、河川流速に対して安定した質量を有し、構造物としての大きさ及び構造に適すると共に、魚類の適正な生息空間を確保することができる自然石ブロックを得るために解決されるべき技術的課題が生じてくるのであり、本発明は該課題を解決することを目的とする。
【課題を解決するための手段】
【０００８】
本発明は上記目的を達成するために提案されたものであり、請求項１記載の発明は複数個配置した下部の各自然石上に、所定面積を有する金網を介して少なくとも２個以上の自然石が載置されると共に、前記下部の各自然石と、該下部の各自然石上に載置される上部の２個以上の自然石とが夫々対向する部位に穿孔が設けられ、該穿孔内に凝固剤が充填され、且つ、前記金網の網目を通して両側部が夫々対向する前記上下の各穿孔内に挿入されて固定するように設けられた連結具にて前記上下の自然石及び前記金網とが一体化されることを特徴とする自然石ブロックを提供するものである。
【０００９】
又、請求項２記載の発明は、上記金網は施工性に適合する所定面積を有して方形、台形又は梯形に形成されて成る請求項１記載の自然石ブロックを提供し、更に、請求項３記載の発明は、上記金網の周辺には枠線が配設されて成る請求項１又は２記載の自然石ブロックを提供し、請求項４記載の発明は上記金網の周辺に配設された枠線は対面する２辺間に略直角状の補強線が複数本配設されて成る請求項１、２又は３記載の自然石ブロックを提供し、更に又、請求項５記載の発明は上記上下の自然石は前記金網の中央部位を除いて配設されて、該中央部位に凹部が形成して成る請求項１、２、３又は４記載の自然石ブロックを提供し、請求項６記載の発明は上記上下の自然石が前記金網に対して十字状に配置されて成る請求項１、２、３又は４記載の自然石ブロックを提供し、請求項７記載の発明は上記上下の自然石が前記金網に対してランダムに配置されて成る請求項１、２、３又は４記載の自然石ブロックを提供するものである。
【発明の効果】
【００１０】
請求項１記載の発明は上記構成に係るから、単位面積あたりの重量を増大させることができ、且つ、河川流速等に充分に耐え、破壊、脱落等の憂いは解消される。
【００１１】
又、特に、下部の夫々の自然石上に載置される上部の自然石は２個以上であって、夫々が連結具によって上下各自然石が結合されているから、施工時等に於いて一本の連結具が破断しても自然石と金網との分離は防止でき、安全性が向上する。更に又、前述したように、上部の自然石は下部の各１個の自然石に対して少なくとも２個以上が配置されているので、該上部の自然石は金網表面を覆う率が高まる。依って、河床等に敷設されている本発明の自然石ブロック上であって、且つ、前記上部の自然石に沿って歩行するとき、該上部の自然石が密に配列されるので、足を取られることなく容易に歩行することが可能となる。更に又、金網の露出面も少ないので該金網上の歩行が避けられ、依って、金網の破断も可及的に低減させることが可能となる。
【００１２】
請求項２記載の発明は、上下の自然石間に挟持されている上記金網のサイズを自然石ブロックの施工性に徴し、該施工性に適合するための所定面積を有し、且つ、方形、台形又は梯形に形成されるので、上記請求項１記載の発明の効果に加え、本発明の自然石ブロックを河床に敷設する作業性が向上する。
【００１３】
又、請求項３記載の発明は、上記金網の周辺に枠線が配設されているので、上記請求項１又は２記載の発明の効果に加え該金網の強度が増し、更に、請求項４記載の発明が前記周辺に配設された枠線の対面する２辺に直角方向に複数本の補強線が配設されているので、該金網の変形防止と共に金網の強度は更に助成される。そして、該金網と共に一体的に結合されている上下の自然石は一挙に吊り上げられて所定個所へ設置されることが可能となる。依って、上記請求項１、２又は３記載の発明の効果に加え施工性の省力化が期待でき、且つ、一体化による自然石ブロックの安定性の向上に寄与する。
【００１４】
又、請求項５記載の発明は、上記上下の自然石の配置を前記金網の中央部位を除いて配設され、そして、中央部位に凹部が形成されており、更に、請求項６記載の発明は、上記上下の自然石の配置を前記金網に対して十字状に配置して成り、更に又、請求項７記載の発明は、上記上下の自然石が前記金網に対してランダムに配置して成るので、前記請求項１、２、３又は４記載の発明の効果に加え、自然石ブロックの自然石間に適度の凹部が形成され、該凹部は魚類の生息空間として最適となる。而も、該凹部には河川を流下する土砂が堆積し、より一層の生態系にとって好しい環境が生成され、魚類のみならず植物の繁茂も期待することができる。
【００１５】
更に又、上記金網はジオキスタイル、グリット、ネット等の多くの強靱性材料を選択して之を用いることも可能であり、且つ、河川等に対する構造物としての構築作業も前述したように、該金網によって上下の自然石が一体化され、該上下の自然石のズレ止め及びクッションとしての作用と相俟って施工性が向上し、大重量の一体化ブロックによって前述したような流速に耐え、且つ、河川環境に優しい構造物となり、更に又、構造物としての機能を充分に発揮することが可能となるのである。
【発明を実施するための最良の形態】
【００１６】
本発明は、河川に敷設される自然石ブロックであって、該自然石ブロックは下部に複数個配設される自然石と、該下部の各自然石上に少なくとも２個以上載置される上部の自然石と、之等上下の自然石間に介装される金網とから成り、且つ、上下の各自然石の各対向面に設けられた穿孔内に凝固剤が充填され、上下各穿孔内へ連結具の両側部を夫々挿入して前記凝固剤にて固設することにより、上下の夫々の自然石と下部の自然石及び金網とが一体化され、河川流速に対して安定した質量を有し、構造物としての大きさ及び構造に適する自然石ブロックを得ることができる。
【実施例】
【００１７】
以下、本発明の一実施の形態を図１乃至図１４に従って詳述する。図１は本発明の自然石ブロック１の平面図、図２は図１のＡ−Ａ線断面図である。本発明に於いては構造物を設置する対象河川に存在する自然石２又はその近辺にある自然石２等、一般に容易に入手できる自然石２が用いられる。而して、かかる自然石２は通常５０kg〜１００kgのものであり、この程度の自然石２を複数個水平状に結合して敷設しても河川流速には耐え得ることができない。そこで、本発明の実施の形態は、図１及び図２に示すように、複数個配置された下部の各自然石２，２…上に金網３を載置し、該金網３を介して上記下部の各自然石２，２…上は少なくとも２個以上の上部自然石２ａ，２ａ…を夫々載置する。
【００１８】
図示例では下部の１個の自然石２に対し、上部に載置される上部自然石２ａは２個が夫々載置されているが、之に限定せられるべきではない。そこで、下部の各自然石２，２…と該下部の各自然石２，２…上部に夫々載置される上部自然石２ａ，２ａ…との夫々対向面に穿孔４，４…及び４ａ，４ａ…が穿設され、夫々の穿孔４，４…及び４ａ，４ａ…に凝固剤５，５…が充填され、図２に示すように、各穿孔４，４…及び４ａ，４ａ…に異型鋼棒或いはボルト等からなる連結具としてのアンカー材６の一側部を夫々挿入し、そして、前記凝固剤５，５…の硬化によって上下の自然石２，２…及び２ａ，２ａ…は前記金網３と共に一体的に結合されるのである。
【００１９】
本発明は上述したように、下部の各自然石２に対して上部の自然石２ａは少なくとも２個以上が前記アンカー材６，６…によって夫々結合されるので、例えば図３に示すように、片方のアンカー材６が破断しても他方のアンカー材６によって下部の自然石２と上部の自然石２ａとは結合されており、従って、上部の前記自然石２ａと金網３との分離は防止でき、安全性は向上する。
【００２０】
又、図４及び図５に示すように、前記金網３の両面に配設される上下の自然石を該金網３の周辺部近傍に配設することにより、該金網３の中央部に凹部Ｗを設けることもできる。更に又、図６及び図７に示すように、前記上下の自然石を該金網３に対して十字状に配設することにより、該金網３の四隅に前記凹部Ｗ，Ｗ，Ｗ，Ｗを形成することもできる。
【００２１】
更に又、図８及び図９並びに図１０及び図１１に示すように、前記上下の自然石をランダムに配置して各自然石間に前記凹部Ｗ，Ｗ…を形成することもできる。然るときは、前記各凹部Ｗは適度な魚類の生息空間を形成することになり、又、該凹部Ｗに流下土砂が堆積し、生態系にとっては好ましい空間の形成とともに、植物等の繁植に適する河川環境が自然に生成されることになる。
【００２２】
更に、前記金網３は方形、台形、梯形等、任意の形状に形成することができる。而して、図１２に示すように、該金網３の周辺部には上下左右に枠線８，８，８，８が設けられて該金網３を補強する。更に又、同図に示すように、対面する２辺の前記上下の枠線８，８又は左右の枠線８，８間に直角に補強線９，９…を配置することにより、該金網３の強度が更に増大する。そこで、図１３に示すように、該金網３の周辺に設けられた前記枠線８，８，８，８のうち対面する枠線８，８を吊具にて吊上げて自然石ブロック１を河床に設置するとき、該自然石ブロック１は破断することなく該吊上げ動作に充分に対応して施工性を助成することができる。
【００２３】
斯くの如く、前記金網３は上下の自然石を一体化し、そして、自然石相互の直接接触を防止すると共に、衝撃吸収材或いはクッション材としても作用することになる。従って、該金網３は上下の自然石の噛み合いや磨耗を防止し、前述したようにクッション材としての作用により上下の自然石を保護することもできる。更に又、一挙に多くの自然石を吊り上げ、設置する部材としての機能を有し、施工性の省力化及び安定化の向上にも寄与することになるのである。
【００２４】
尚、本発明は、本発明の精神を逸脱しない限り種々の改変を為すことができ、そして、本発明が該改変されたものに及ぶことは当然である。
【図面の簡単な説明】
【００２５】
【図１】本発明の一実施の形態を示し、自然石ブロックの平面図。
【図２】図１のＡ−Ａ線断面図。
【図３】上下の自然石をアンカー材によって結合した自然石ブロックの片側のアンカー材が破断した状態を示す側面図。
【図４】金網の周辺部に自然石を配置してその中央部に空間を形成した状態を示す平面図。
【図５】図４のＢ−Ｂ線断面図。
【図６】金網に十字状に自然石を配置した状態を示す平面図。
【図７】図６のＣ−Ｃ線断面図。
【図８】金網にランダムに自然石を配置した状態を示す平面図。
【図９】図８のＤ−Ｄ線断面図。
【図１０】金網にランダムに自然石を配置した他の実施の形態を示す平面図。
【図１１】図１０のＥ−Ｅ線断面図。
【図１２】金網に枠線及び補強線を設けた状態を示す平面図。
【図１３】自然石ブロックの吊上げ状態を示す解説側面図。
【図１４】自然石ブロックを根固工に実施した状態を示す解説図。
【符号の説明】
【００２６】
１          自然石ブロック
２，２ａ    自然石
３          金網
４，４ａ    穿孔
５          凝固剤
６          アンカー材
７          水性植物
８          枠線
９          補強線
Ｗ          凹部
【図１】
2005113640.tif 000003
【図２】
2005113640.tif 000004
【図３】
2005113640.tif 000005
【図４】
2005113640.tif 000006
【図５】
2005113640.tif 000007
【図６】
2005113640.tif 000008
【図７】
2005113640.tif 000009
【図８】
2005113640.tif 000010
【図９】
2005113640.tif 000011
【図１０】
2005113640.tif 000012
【図１１】
2005113640.tif 000013
【図１２】
2005113640.tif 000014
【図１３】
2005113640.tif 000015
【図１４】
2005113640.tif 000016